(57)【要約】【課題】腰の疲労や病的体癖を解消できる椅子を提供する。【解決手段】脚部１０と、座部２０と、背もたれ部３０とを備えてなる椅子Ｃであって、前記座部２０を受ける座受け面１５が、１２度ないし１６度の下り勾配とされ、背もたれ部３０の位置が、腰椎の３番、４番または５番に対応する位置とされてなるものである。座部２０の硬さは、硬、中および軟の三種類とされて、それらが簡易に取替可能とされている。【選択図】図１
2008149110.tif 000002
【特許請求の範囲】
【請求項１】
脚部と、座部と、背もたれ部とを備えてなる椅子であって、
前記座部を受ける座受け面が、所定角度の下り勾配とされ、
背もたれ部の位置が、腰椎の３番、４番または５番に対応する位置とされてなる
ことを特徴とする椅子。
【請求項２】
所定角度が、１２度ないし１６度とされてなることを特徴とする請求項１記載の椅子。
【請求項３】
座部が硬さの異なるものが複数備えられ、その各々が簡易に交換可能とされてなることを特徴とする請求項１記載の椅子。
【請求項４】
座部が硬さが、硬、中、軟の３種類とされてなることを特徴とする請求項３記載の椅子。
【請求項５】
座部が、座部本体と該座部本体をカバーするカバーとからなり、
前記座部本体は、尻が乗る箇所が狭く、膝の内側に位置する箇所が広くされた台形鏡餅状とされてなることを特徴する請求項４記載の椅子。
【請求項６】
座部本体の頂部平面は、幅方向に長軸を有する楕円状とされてなることを特徴とする請求項５記載の椅子。
【請求項７】
頂部平面から下底に向けた面は、緩傾斜面とされてなることを特徴とする請求項６記載の椅子。
【請求項８】
頂部平面から上底に向けた面および両側に向けた面は、急傾斜面とされてなることを特徴とする請求項６記載の椅子。
【請求項９】
座部本体が、骨材部と、該骨材部表面を覆うように設けられた表皮部とからなることを特徴とする請求項５記載の座具。
【請求項１０】
背もたれ部の位置が調節可能とされてなることを特徴とする請求項１記載の椅子。
【請求項１１】
背もたれ部が、座る人の背中に沿うよう湾曲させられてなることを特徴とする請求項１記載の椅子。
【発明の詳細な説明】
【技術分野】
【０００１】
本発明は椅子に関する。さらに詳しくは、自然に背筋が伸びて正しい姿勢となる椅子に関する。
【背景技術】
【０００２】
生活の洋式化から、会社などの仕事場ばかりでなく、日常生活においても椅子に座る機会が増えてきている。
【０００３】
現在、用いられている椅子の多くは、安定性、機能性および意匠性に重点が置かれる反面、椅子に長時間座ることから生ずる病的体癖、疲労感などの悪影響については、まったく配慮がなされていない。例えば、椅子に座ったときの腰の疲労は、立っているときの１．５倍程度となるが、その疲労を解消できるような工夫はなされていない。
【０００４】
パソコンの急速な普及により、長時間のデスクワークが多くなってきている現在、腰の疲労や病的体癖を解消できる椅子が熱望されている。
【発明の開示】
【発明が解決しようとする課題】
【０００５】
本発明はかかる従来技術の課題に鑑みなされたものであって、腰の疲労や病的体癖を解消できる椅子を提供することを目的としている。
【課題を解決するための手段】
【０００６】
本発明の椅子は、脚部と、座部と、背もたれ部とを備えてなる椅子であって、前記座部を受ける座受け面が、所定角度の下り勾配とされ、背もたれ部の位置が、腰椎の３番、４番または５番に対応する位置とされてなることを特徴とする。
【０００７】
本発明の椅子においては、前記所定角度が、１２度ないし１６度とされてなるのが好ましい。
【０００８】
また、本発明の椅子においては、座部が硬さの異なるものが複数備えられ、その各々が簡易に交換可能とされてなるのが好ましい。その場合、座部が硬さは、例えば、硬、中、軟の３種類とされる。
【０００９】
さらに、本発明の椅子においては、座部が、座部本体と該座部本体をカバーするカバーとからなり、前記座部本体は、尻が乗る箇所が狭く、膝の内側に位置する箇所が広くされた台形鏡餅状とされてなるのが好ましい。
【００１０】
さらに、本発明の椅子においては、座部本体の頂部平面は、幅方向に長軸を有する楕円状とされてなるのが好ましい。
【００１１】
さらに、さらに、本発明の椅子においては、頂部平面から下底に向けた面は、緩傾斜面とされてなるのが好ましい。
【００１２】
さらに、本発明の椅子においては、頂部平面から上底に向けた面および両側に向けた面は、急傾斜面とされてなるのが好ましい。
【００１３】
さらに、本発明の椅子においては、座部本体が、骨材部と、該骨材部表面を覆うように設けられた表皮部とからなるのが好ましい。
【００１４】
さらに、本発明の椅子においては、背もたれ部の位置が調節可能とされてなるのが好ましい。
【００１５】
さらに、本発明の椅子においては、背もたれ部が、座る人の背中に沿うよう湾曲させられてなるのが好ましい。
【発明の効果】
【００１６】
本発明の椅子によれば、座受け面が適度の下り勾配とされているので、自律神経の働きにより背筋が伸びて姿勢がよくなる。そのため、人間が本来持っている治癒能力を発揮させて、長時間座ることからくる腰の疲労や病的体癖を解消できるという優れた効果が得られる。
【００１７】
また、本発明の椅子によれば、背もたれが、腰椎の３番、４番または５番に対応する位置とされているので、反り返ると腰椎に刺激を与えることができ、それにより脊椎の矯正ができるとともに、腹式呼吸が実現されて精神安定、血行促進、脳の活性化などが図られるという優れた効果も得られる。
【発明を実施するための最良の形態】
【００１８】
以下、添付図面を参照しながら本発明を実施形態に基づいて説明するが、本発明はかかる実施形態のみに限定されるものではない。
【００１９】
実施形態１
本発明の実施形態１に係る椅子を図１−３に示す。
【００２０】
椅子Ｃは、図１−３に示すように、脚部１０と、座部２０と、背もたれ部３０とを主要部として備えてなるものとされる。ここで、座部２０は取替自在とされている。
【００２１】
脚部１０は、対称に配置された一対の前脚（前脚対）１１と、対称に配置された一対の後脚（後脚対）１６とを備えてなるものとされる。
【００２２】
ここで、図２に示すように、前脚対１１の間隔は、座部２０の形状に合わせて後脚対１６の間隔より広くされている。
【００２３】
前脚対１１の頂部は、図１に示すように、前部結合片１２により結合されている。この前部結合片１２の後脚対１６に対応する箇所には、図３に示すように、後脚対１６に結合される側部結合片１３が配設されている。また、後脚対１６の側部結合片１３が結合される箇所には、図２に示すように、後部結合片１７が配設されている。
【００２４】
しかして、前脚対１１の頂面および側部結合片１３の上面に配設される板材により座部２０を受ける座部受け部１４が形成される。この座部受け部１４上面により形成される面（座部受け面）１５は、図３に示すように、所定角度の下り勾配とされている。
【００２５】
この下り勾配の角度は、１２度〜１６度とされている。座部受け面１５をこのように傾斜させるのは、大腿部の裏側を圧迫しないため、および足先までの血流をよくするためである。
【００２６】
後脚対１６の上部は、図３に示すように、延伸されて背もたれ部３０を支持する背もたれ支持部１８とされている。背もたれ支持部１８の高さは、背もたれ部３０が腰椎の３番、４番、５番の位置となるよう調整されている。なお、背もたれ部３０の位置は、前述のように、腰椎の３番、４番、５番の位置とされるのが好ましいが、そのいずれかの位置となるようにされていればよい。
【００２７】
背もたれ部３０は、図２に示すように、座る人の背に沿うよう湾曲させられている。背もたれ部３０は、背もたれ支持部１８に差し渡されて支持される芯材３１と、芯材３１の表面に配設された適度の弾力性を有する背もたれ本体３２とを備えてなるものとされる。
【００２８】
背もたれ本体３２の最前面は、図３に示すように、ほぼ座部２０の後端に位置するよう芯材３１からの突出量が調整されている。
【００２９】
座部２０は、図４−６に示すように、座部本体２１と、座部本体２１をカバーするカバー（明瞭には図示はされていない）とから構成されている。この座部２０は、図示はされていないが、取替が自在になし得るよう、例えば、蝶ナットとボルトにより座部受け部に取り付けられている。なお、取替自在とする機構は、前記に限定されるものではなく、公知の各種機構とすることができ、特に限定はない。
【００３０】
カバーは、布やビニールなど従来より座布団の表皮に用いられているものを好適に用いることができる。
【００３１】
座部本体２１の形状は、図４〜図９に示すように、尻が乗る箇所が狭く、膝の内側に位置する箇所が広くされ、角が丸みを帯びた台形鏡餅状とされている。以下、狭い辺を上底といい、広い辺を下底ということにする。ここで、上底の長さは３５ｃｍ〜４０ｃｍ程度とされ、下底の長さは４０ｃｍ〜４５ｃｍ程度とされている。
【００３２】
鏡餅の頂部平面２１ａに相当する箇所は、図４に点線で示すように、座部２０では尻が乗る箇所に位置させられ、またその形状は長軸が上底に平行な楕円形とされている。頂部平面２１ａの高さは、６ｃｍ〜８ｃｍ程度されている。楕円の長軸の位置は、上底からほぼ１／３のところに位置させられ、その長さは、その位置における台形の幅の６割〜７割程度とされている。また、楕円の短径の長さは、台形の高さの２割〜３割程度とされている。
【００３３】
頂部平面２１ａの後側、つまり上底側は急傾斜の凸曲面とされ、頂部平面２１ａの前側、つまり下底側は緩傾斜の凸曲面とされ、両側は急傾斜の凸曲面とされている。
【００３４】
頂部平面２１ａの前側の緩傾斜の凸曲面の幅、つまり前後方向の長さは、台形の高さの３割〜４割程度とされている。緩傾斜の角度は、頂部平面２１ａに尻が乗った状態で太腿内側が座部表面と接触しないように調整されている。なお、頂部平面１ａの前側は、緩傾斜の凸曲面の前端部は急傾斜の凸曲面とされている。
【００３５】
座部本体２１の材質は、例えば合成樹脂（例えば発泡ウレタン）とされ、その硬さは、硬、中、軟の三種類とされている。このように硬さを異なるものを用意するのは、人それぞれが体格、体重、肉付が異なっているので、それに対応できるようにするためである。また、同一人であっても、座部２０の硬さ程度を変えることにより、気分転換を図ることができることも考慮するためである。例えば、硬い座部２０に座れば、緊張感が走って能率が上がり、中程度の硬さの座部２０に座れば、思考をしながら仕事をすることができ、軟らかい座部２０に座れば、ゆったりとした気分で仕事ができる。
【００３６】
ここで、「硬」とは、ショア硬さが９０-９５度の範囲にあるものをいい、座部２０に通常の成人（体重６０ｋｇ）が尻を乗せた場合の沈下量が、２７ｍｍ程度のものをいい、「中」とは、ショア硬さが８０-８５度の範囲にあるものをいい、座部２０に通常の成人（体重６０ｋｇ）が尻を乗せた場合の沈下量が、３０ｍｍ程度のものをいい、「軟」とは、ショア硬さが７０-７５度の範囲にあるものをいい、座部２０に通常の成人（体重６０ｋｇ）が尻を乗せた場合の沈下量が、３４ｍｍ程度のものをいう。
【００３７】
座部本体２１は一体物とされてもよいが、図１０に示すように、機械的強度を維持する骨材部（芯材）２２と、骨材部２２表面を覆うように設けられ表皮部２３とから構成するようにされてもよい。その場合、座部本体２１の硬さ程度は、表皮部２３により調整される。
【００３８】
骨材部２２の材質は、例えば、硬質合成樹脂や木材とされる。
【００３９】
しかして、この実施形態１の椅子Ｃによれば、次のような効果が得られる。
【００４０】
効果１：座受け面１５が適度の下り勾配とされているので、自律神経の働きにより背筋が伸びて姿勢がよくなる。そのため、人間が本来持っている治癒能力を発揮させて、長時間座ることからくる腰の疲労や病的体癖を解消できる。
【００４１】
効果２：背もたれ部３０が、腰椎の３番、４番、５番に対応する位置とされているので、反り返ると腰椎に刺激を与えることができ、それにより脊椎の矯正ができるとともに、腹式呼吸が実現されて精神安定、血行促進、脳の活性化などが図られる。
【００４２】
効果３：大腿部の裏側を圧迫しないので、大腿部の血流が阻害されず、血流阻害による脚のむくみや足の指先の冷えも生じない。
【００４３】
効果４：座部２０が硬、中、軟に取替自在とされているので、そのときの気分に応じた座部とすることができる。
【００４４】
実施形態２
本発明の実施形態２に係る椅子Ｃ１を図１１に示す。実施形態２は、実施形態１を改変してなるものであって、キャスター付のオフィス椅子状としてなるものとされる。なお、実施形態１と同一の符号は、同一または類似の構成要素を示す。
【００４５】
より具体的には、椅子Ｃ１の脚部５０は、図１１に示すように、支柱５１と、支柱５１の下端部に放射状に配設された所要本数、例えば５本の脚部材５２とを有するものとされる。
【００４６】
支柱５１には、座部２０を支持する座部受け部６０から下方に突出されている支持軸６２が昇降自在かつ回転自在に装着されている。なお、座部受け部６０を昇降自在として座部の高さを調整する昇降機構および回転機構は、公知の各種構成とすることができ特に限定はない。
【００４７】
また、脚部材５２の先端部下面にはキャスター５２ａが配設されている。
【００４８】
座部受け部６０は、座部受け部本体６１と、前記支持軸６２と、座部受け部本体６１後部に配設されたエル字状の背もたれ支持部材６３とを有するものとされる。
【００４９】
支持部材６３の垂直片６３ａの上端部位置は、背もたれ部３０が腰椎の３番、４番、５番の位置となるよう調整されている。垂直片６３ａ上端部への背もたれ部３０の取り付けは、例えば、背もたれ部３０の芯材３１中央部をボルト止めすることによりなされる。なお、垂直片６３ａ上端部に背もたれ部３０の取り付け位置を複数も設け、背もたれ部３０の位置を座る人の座高に合わせて調整できるようにしてもよい。
【００５０】
このように、この実施形態２においては、脚部材５２にキャスター５２ａが配設されているので、移動が自在であるという実施形態１では得られない効果も得られる。また、座部２０の高さが調整できるようにされているので、座部２０を座る人の座高に合わせた位置とすることができるという実施形態１では得られない効果も得られる。
【００５１】
以上、本発明を実施形態に基づいて説明してきたが、本発明はかかる実施形態のみに限定されるものではなく、種々改変が可能である。例えば、脚、背もたれ支持部を鋼管により構成することもできる。
【産業上の利用可能性】
【００５２】
本発明は、椅子に適用できる。
【図面の簡単な説明】
【００５３】
【図１】本発明の実施形態１に係る椅子の正面図である。
【図２】同平面図である。
【図３】同右側面図である。
【図４】同実施形態に用いられる座具本体の一例の平面図である。
【図５】同正面図である。
【図６】同側面図である。
【図７】図４のＶＩＩ−ＶＩＩ線断面図である。
【図８】同ＶＩＩＩ−ＶＩＩＩ線断面図である。
【図９】同ＩＸ−ＩＸ線断面図である。
【図１０】本発明の実施形態１に適用可能な座具本体の他の例の断面図である。
【図１１】本発明の実施形態２に係る椅子の側面図である。
【符号の説明】
【００５４】
１０      脚部
１１      前脚対
１２      前部結合片
１３      側部結合片
１４      座部受け部
１５      座受け面
１６      後脚対
１７      後部結合片
１８      背もたれ支持部
２０      座部
２１      座部本体
２１ａ    頂部平面
２２      骨材部（芯材）
２３      表皮部
３０      背もたれ部
３１      芯材
３２      背もたれ本体
Ｃ      椅子
【図１】
2008149110.tif 000003
【図２】
2008149110.tif 000004
【図３】
2008149110.tif 000005
【図４】
2008149110.tif 000006
【図５】
2008149110.tif 000007
【図６】
2008149110.tif 000008
【図７】
2008149110.tif 000009
【図８】
2008149110.tif 000010
【図９】
2008149110.tif 000011
【図１０】
2008149110.tif 000012
【図１１】
2008149110.tif 000013